(57)【要約】      （修正有）【課題】安定した段積みを得ることができる段積装置を提供する。【解決手段】段積装置Ｄは、積み重ね製紙原料物１を昇降部へ供給する供給手段２と、昇降部に位置する昇降手段３に積み重ね製紙原料物がないことを検知すると、新たな積み重ね製紙原料物１’を昇降部へ供給するように供給手段を動作させる供給制御手段と、昇降手段により上昇した積み重ね製紙原料物１を保持する保持部材と、上昇した積み重ね製紙原料物１を検知すると、積み重ね製紙原料物１を保持し、下方に新たな積み重ね製紙原料物１’を検知すると積み重ね製紙原料物１の保持を解除するように、保持部材を制御する保持部材制御手段と、昇降部へ供給された積み重ね製紙原料物を上昇させる昇降手段と、昇降部に積み重ね製紙原料物があることを検知すると、積み重ね製紙原料物を上昇するように昇降手段を動作させ、上昇した積み重ね製紙原料物が保持されたことを検知すると、昇降手段を下降させる昇降制御手段とを備える。【選択図】図７
0003216075.tif 000002
【実用新案登録請求の範囲】
【請求項１】
保持された複数枚の製紙原料物を一単位とする積み重ね製紙原料物の底面側から新た
な前記積み重ね製紙原料物を上昇させて、前記積み重ね製紙原料物の底面と上昇した前記
積み重ね製紙原料物の頂面を近接させ、前記保持を解除して前記積み重ね製紙原料物を垂
直方向に複数積載する段積装置であって、
前記積み重ね製紙原料物を昇降部へ供給する供給手毅と、
前記昇降部に位置する昇降手段に前記積み重ね製紙原料物がないことを検知すると、
新たな前記積み重ね製紙原料物を前記昇降部へ供給するように前記供給手毅を動作させる供給制御手段と、
前記昇降手段により上昇した前記積み重ね製紙原料物を保持する保持部材と、
上昇した前記積み重ね製紙原料物を検知すると、前記保持部材による前記積み重ね製
紙原料物を保持し、前記積み重ね製紙原料物の下方に新たな前記積み重ね製紙原料物を検
知すると、前記保持部材による前記積み重ね製紙原料物の保持を解除するように、前記保
持部材を制御する保持部材制御手段と、
前記昇降部へ供給された前記積み重ね製紙原料物を上昇させる前記昇降手段と、
前記昇降部に前記積み重ね製紙原料物があることを検知すると、前記積み重ね製紙原料物を上昇するように前記昇降手段を動作させ、上昇した前記積み重ね製紙原料物を前記保持部材で保持されたことを検知すると、前記昇降手段を下降させる昇降制御手段と、
を備えていることを特徴とする段積装置。
【請求項２】
保持された複数枚の古紙を一単位とする積み重ね古紙の底面側から新たな前記積み重ね古紙を上昇させて、前記積み重ね古紙の底面と上昇した前記積み重ね古紙の頂面を近接させ、前記保持を解除して前記積み重ね古紙を垂直方向に複数積載する段積装置であって、
前記積み重ね古紙を昇降部へ供給する供給手毅と、
前記昇降部に位置する昇降手段に前記積み重ね古紙がないことを検知すると、新たな前記積み重ね古紙を前記昇降部へ供給するように前記供給手毅を動作させる供給制御手段と、
前記昇降手段により上昇した前記積み重ね古紙を保持する保持部材と、
上昇した前記積み重ね古紙を検知すると、前記保持部材による前記積み重ね古紙を保持し、前記積み重ね古紙の下方に新たな前記積み重ね古紙を検知すると、前記保持部材による前積み重ね古紙の保持を解除するように、前記保持部材を制御する保持部材制御手段と、
前記昇降部へ供給された前記積み重ね古紙を上昇させる前記昇降手段と、
前記昇降部に前記積み重ね古紙があることを検知すると、前記積み重ね古紙を上昇するように前記昇降手段を動作させ、上昇した前記積み重ね古紙を前記保持部材で保持されたことを検知すると、前記昇降手段を下降させる昇降制御手段と、
を備えていることを特徴とする段積装置。
【請求項３】
保持部材は、積み重ね製紙原料物の底面に当接して前記積み重ね製紙原料物を支持す
る一対の爪と、前記積み重ね製紙原料物の側面を挟持する一対の挟持部材を有する
ことを特徴とする請求項１記載の段積装置。
【考案の詳細な説明】
【技術分野】
【０００１】
本考案は、段積装置に係り、特に、安定した段積みを行うことができる段積装置に関
する。
【背景技術】
【０００２】
積み重ねた古紙をパルパー装置に投入して、古紙を離解するようにしている。
その際、積み重ねた古紙の投入量を増加するために、積み重ねた古紙を複数積層する
ことが考えられる。
例えば、積み重ねた古紙を保持した状態で、積み重ねた古紙を上昇させ、上昇させた
積み重ねた古紙の下方に新たな積み重ねた古紙を位置させ、上昇させて待機した積み重ね
た古紙の底面に新たな積み重ねた古紙の頂面を当接させて段積することが考えられる。
【考案の概要】
【考案が解決しようとする課題】
【０００３】
しかしながら、上記段積にあっては、積み重ねた古紙を保持した状態で上昇させ、つ
まり、積み重ねた古紙を大きく移動させるため、安定性に欠けるという問題点があった。
【０００４】
本考案は、上記の問題点を考慮してなされた段積装置を提供することを目的としてい
る。
【課題を解決するための手段】
【０００５】
請求項１記載の段積装置は、保持された複数枚の製紙原料物を一単位とする積み重ね製紙原料物の底面側から新たな前記積み重ね製紙原料物を上昇させて、前記積み重ね製紙原料物の底面と上昇した前記積み重ね製紙原料物の頂面を近接させ、前記保持を解除して前記積み重ね製紙原料物を垂直方向に複数積載する段積装置であって、前記積み重ね製紙原料物を昇降部へ供給する供給手毅と、前記昇降部に位置する昇降手段に前記積み重ね製紙原料物がないことを検知すると、新たな前記積み重ね製紙原料物を前記昇降部へ供給するように前記供給手毅を動作させる供給制御手段と、前記昇降手段により上昇した前記積み重ね製紙原料物を保持する保持部材と、上昇した前記積み重ね製紙原料物を検知すると、前記保持部材による前記積み重ね製紙原料物を保持し、前記積み重ね製紙原料物の下方に新たな前記積み重ね製紙原料物を検知すると、前記保持部材による前記積み重ね製紙原料物の保持を解除するように、前記保持部材を制御する保持部材制御手段と、前記昇降部へ供給された前記積み重ね製紙原料物を上昇させる前記昇降手段と、前記昇降部に前記積み重ね製紙原料物があることを検知すると、前記積み重ね製紙原料物を上昇するように前記昇降手段を動作させ、上昇した前記積み重ね製紙原料物を前記保持部材で保持されたことを検知すると、前記昇降手段を下降させる昇降制御手段と、を備えているものである。
【０００６】
また、請求項２記載の段積装置は、保持された複数枚の古紙を一単位とする積み重ね古紙の底面側から新たな前記積み重ね古紙を上昇させて、前記積み重ね古紙の底面と上昇した前記積み重ね古紙の頂面を近接させ、前記保持を解除して前記積み重ね古紙を垂直方向に複数積載する段積装置であって、前記積み重ね古紙を昇降部へ供給する供給手毅と、前記昇降部に位置する昇降手段に前記積み重ね古紙がないことを検知すると、新たな前記積み重ね古紙を前記昇降部へ供給するように前記供給手毅を動作させる供給制御手段と、前記昇降手段により上昇した前記積み重ね古紙を保持する保持部材と、上昇した前記積み重ね古紙を検知すると、前記保持部材による前記積み重ね古紙を保持し、前記積み重ね古紙の下方に新たな前記積み重ね古紙を検知すると、前記保持部材による前積み重ね古紙の保持を解除するように、前記保持部材を制御する保持部材制御手段と、前記昇降部へ供給された前記積み重ね古紙を上昇させる前記昇降手段と、前記昇降部に前記積み重ね古紙があることを検知すると、前記積み重ね古紙を上昇するように前記昇降手段を動作させ、上昇した前記積み重ね古紙を前記保持部材で保持されたことを検知すると、前記昇降手段を下降させる昇降制御手段と、を備えているものである。
【０００７】
また、請求項３記載の段積装置は、請求項１記載の段積装置において、保持部材は、積み重ね製紙原料物の底面に当接して前記積み重ね製紙原料物を支持する一対の爪と、前記積み重ね製紙原料物の側面を挟持する一対の挟持部材を有すものである。
【考案の効果】
【０００８】
請求項１記載の段積装置によれば、保持された複数枚の製紙原料物を一単位とする積
み重ね製紙原料物の底面側から新たな前記積み重ね製紙原料物を上昇させて、前記積み重
ね製紙原料物の底面と上昇した前記積み重ね製紙原料物の頂面を近接させ、前記保持を解
除して前記積み重ね製紙原料物を垂直方向に複数積載するため、保持された複数枚の製紙
原料物が大きく移動しない分、安定した段積みをおこなうことができる。
【０００９】
また、請求項２記載の段積装置によれば、保持された複数枚の古紙を一単位とする積
み重ね古紙の底面側から新たな前記積み重ね古紙を上昇させて、前記積み重ね古紙の底面
と上昇した前記積み重ね古紙の頂面を近接させ、前記保持を解除して前記積み重ね古紙を
垂直方向に複数積載するため、保持された積み重ね古紙が大きく移動しない分、安定した
段積みをおこなうことができる。
【００１０】
また、請求項３記載の段積装置によれば、上述した請求項１記載の考案の効果に加え
、保持部材は、積み重ね製紙原料物の底面に当接して前記積み重ね製紙原料物を支持する
一対の爪と、前記積み重ね製紙原料物の側面を挟持する一対の挟持部材を有するため、積み重ね製紙原料物を安定して保持でき、その結果、安定した段積みを得ることが
できる。
【図面の簡単な説明】
【００１１】
【図１】図１は、本考案の一実施例の段積装置の概略的断面図で、積み重ね製紙原料物が昇降部へ向かう状態を示している。
【図２】図２は、図１の積み重ね製紙原料物が昇降部へ位置した状態を示す段積装置の概略的断面図である。
【図３】図３は、図２の積み重ね製紙原料物が上昇した状態を示す段積装置の概略的断面図である。
【図４】図４は、図３の上昇した積み重ね製紙原料物を保持部材により保持した状態を示す段積装置の概略的断面図である。
【図５】図５は、図４の昇降部が下降した状態を示す段積装置の概略的断面図である。
【図６】図６は、図５の上昇した積み重ね製紙原料物を保持部材により保持した状態で、新たな積み重ね製紙原料物が昇降部へ向かう状態を示す段積装置の概略的断面図である。
【図７】図７は、図６の保持部材により保持された積み重ね製紙原料物の下方へ新たな積み重ね製紙原料物が上昇する状態を示す段積装置の概略的断面図である。
【図８】図８は、図７の保持部材により保持された積み重ね製紙原料物の下方へ新たな積み重ね製紙原料物が近接した状態を示す段積装置の概略的断面図である。
【図９】図９は、図８の保持部材により保持された積み重ね製紙原料物の下方へ新たな積み重ね製紙原料物が当接した状態を示す段積装置の概略的断面図である。
【図１０】図１０は、図９の段積された積み重ね製紙原料物が下降した状態を示す段積装置の概略的断面図である。
【図１１】図１１は、図１０の段積された積み重ね製紙原料物が昇降部から排出された状態を示す段積装置の概略的断面図である。
【考案を実施するための形態】
【００１２】
本考案の一実施例の段積装置を図１乃至図１１を参照して説明する。
図１に示すＤは、図示しないパルパー装置の槽内に投入する古紙等の製紙原料物を段
積する段積装置である。
【００１３】
段積装置Ｄは、「複数枚の製紙原料物」を一単位とする積み重ね製紙原料物１、１’（例えば、「複数枚の古紙」を一単位とする積み重ね古紙）を複数積み重ねるもので、概略的に、図７乃至図１０に示すように、保持された複数枚の製紙原料物を一単位とする積み重ね製紙原料物１の底面１Ａ側から新たな積み重ね製紙原料物１’を上昇させて、積み重ね製紙原料物１の底面１Ａと上昇した積み重ね製紙原料物１’の頂面１’Ｔを近接させ、前記保持を解除して積み重ね製紙原料物１’、１を垂直方向に複数積載するものである。
【００１４】
図１に示す２は、積み重ね製紙原料物１、１’を昇降部３１へ供給する供給手段で、供給手段２は、例えば、ロ一ラー２１が駆動して、ローラー２１上の積み重ね製紙原料物１、１’を昇降部３１へ供給するようになっている。
昇降部３１は、供給手段２と後述する移動手段６との間に位置している。
２Ｃは供給制御手段で、供給制御手段２Ｃは、昇降部３１に位置する昇降手段３に積
み重ね製紙原料物１がないことを検知すると、新たな積み重ね製紙原料物１を昇降部３１へ供給するように供給手段２を動作させるものである。
【００１５】
４は、昇降手段３により上昇した積み重ね製紙原料物１を保持する保持部材で、保持
部材４は、例えば、積み重ね製紙原料物１の底面１Ａに当接して積み重ね製紙原料物１を
支持する一対の爪４１、４１と、積み重ね製紙原料物１の側面を挟持する一対の挟持部材
４２、４２を有し、積み重ね製紙原料物１の保持状態の安定化を図っている。
４Ｃは保持部材制御手段で、保持部材制御手段４Ｃは、待機している上昇した積み重ね製紙原料物１を検知すると、保持部材４による積み重ね製紙原料物１を保持し、積み重ね製紙原料物１の下方に新たな積み重ね製紙原料物１’を検知すると、保持部材４による積み重ね製紙原料物１の保持を解除するように、保持部材４を制御するものである。
【００１６】
昇降手設３は、昇降部３１へ供給された積み重ね製紙原料物１を上昇させるもので、
例えば、リンクの上下端間の中点を枢支してなるＸ字状対称リンクで、図示しないシリン
ダー等の駆動手段で、昇降するようにしている。
３Ｃは昇降制御手段で、昇降制御手段３Ｃは、昇降手段３に積み重ね製紙原料物１が
あることを検知すると、積み重ね製紙原料物１を上昇するように昇降手段３を動作させ、
上昇した積み重ね製紙原料物１を保持部材４で保持されたことを検知すると、昇降手段３
を下降させるものである。
【００１７】
上述した段積装置Ｄの作用を説明すると、先ず、複数枚の製紙原料物１を供給手段２
により昇降部３１へ供給する(図１及び図２)。昇降部３１へ複数枚の製紙原料物１が供
給されると、昇降制御手段３Ｃの図示しないセンサーが複数枚の製紙原料物１を検知して
、昇降手段３を動作させ、積み重ね製紙源料物１を上昇させる(図３)。
そして、保持部材制御手段４Ｃの図示しないセンサーが上昇した積み重ね製紙原料物
１を検知すると、保持部材４を動作させ、積み重ね製紙原料物１を保持する(図４)。
上昇した積み重ね製紙原料物１を保持部材４で保持されたことを昇降制御手段３Ｃの
図示しないセンサーが検知すると、昇降制御手段３Ｃは、昇降手段３を下降させる(図５
)。
昇降手段３を下降し、昇降部３１に位置する昇降手段３に積み重ね製紙原料物１がな
いことを供給制御手段２Ｃの図示しないセンサーが検知すると、新たな積み重ね製紙原料
物１を昇降部３１へ供給するように供給手段２を動作させる(図６及び図７)。
昇降部３１へ複数枚の製紙原料物１’が供給されると、昇降制御手段３Ｃの図示しな
いセンサーが複数枚の製紙原料物１’を検知して、昇降手段３を動作させ、積み重ね製紙
原料物１’を上昇させる(図８)。
そして、保持部材制御手段４Ｃの図示しないセンサーが上昇した積み重ね製紙原料物
１’を検知すると、上方位置で待機している積み重ね製紙原料物１の保持部材４による保
持を解除して、積み重ね製紙原料物１’の上に、積み重ね製紙原料物１を垂直方向に複数
積載する(図９)。
っまり、保持された複数枚の製紙原料物１を一単位とする積み重ね製紙原料物１の底
面１Ａ側から新たな積み重ね製紙原料物１を上昇させて、積み重ね製紙原料物１の底面１Ａと上昇した積み重ね製紙原料物１’の頂面１’Ｔを近接させ、前記保持を解除して積み
重ね製紙原料物１’、１を垂直方向に複数積載するため、保持された複数枚の製紙原料物
１が大きく移動しない分、安定した段積みをおこなうことができる。
【００１８】
なお、図１０に示す５は、段積みされた積み重ね製紙原料物１、１’を昇降部３１か
ら排出側へ排出する第１の排出手段で、６は、昇降部３１から雛出された段積みされた積
み重ね製紙原料物１、１’を図示しないパルパーへ移動させる移動手段である。
【符号の説明】
【００１９】
Ｄ      段積装置
１      積み重ね製紙原料物
１’    積み重ね製紙原料物
２      供給手毅
３      昇降手殺
４      保持部材
２Ｃ    供給制御手段
３Ｃ    昇降制御手段
４Ｃ    保持部材制御手段
３１    昇降部
【図１】
0003216075.tif 000003
【図２】
0003216075.tif 000004
【図３】
0003216075.tif 000005
【図４】
0003216075.tif 000006
【図５】
0003216075.tif 000007
【図６】
0003216075.tif 000008
【図７】
0003216075.tif 000009
【図８】
0003216075.tif 000010
【図９】
0003216075.tif 000011
【図１０】
0003216075.tif 000012
【図１１】
0003216075.tif 000013